(57)【要約】【課題】定形外の原稿のスキャン処理に要する時間の低減を可能にする。【解決手段】実施形態に係る原稿読取装置は、表示部と、読取部と、処理部と、判断部とを備える。前記表示部は、定形外の原稿の読取サイズを入力する画面を表示する。前記読取部は、ユーザ入力に基づく読取サイズに相当する量の副走査方向に沿った移動に応じて前記定形外の原稿を読み取り、前記定形外の原稿の第１の画像を得る。前記処理部は、主走査方向において前記第１の画像から前記ユーザ入力に基づく読取サイズに相当する量を超える領域をカットした第２の画像を得る。前記判断部は、第２の画像に基づいて、前記ユーザ入力に基づく読取サイズの適否を判断する。【選択図】図２
2020005222.tif 000002
【特許請求の範囲】
【請求項１】
定形外の原稿の読取サイズを入力する画面を表示する表示部と、
ユーザ入力に基づく読取サイズに相当する量の副走査方向に沿った移動に応じて前記定形外の原稿を読み取り、前記定形外の原稿の第１の画像を得る読取部と、
主走査方向において前記第１の画像から前記ユーザ入力に基づく読取サイズに相当する量を超える領域をカットした第２の画像を得る処理部と、
第２の画像に基づいて、前記ユーザ入力に基づく読取サイズの適否を判断する判断部と、
を備える原稿読取装置。
【請求項２】
前記判断部は、前記ユーザ入力に基づく読取サイズで規定される４辺が前記第２の画像の黒色領域に含まれているか否かに応じて、前記ユーザ入力に基づく読取サイズの適否を判断する、請求項１に記載の原稿読取装置。
【請求項３】
前記判断部は、前記ユーザ入力に基づく読取サイズで規定される４辺が前記第２の画像の印字領域に含まれているか否かに応じて、前記ユーザ入力に基づく読取サイズの適否を判断する、請求項１に記載の原稿読取装置。
【請求項４】
前記ユーザ入力に基づく読取サイズが適切ではないことを示す判断結果に基づいて、前記ユーザ入力に基づく読取サイズが適切ではないことを含むメッセージを出力する出力部をさらに備える請求項１から３の何れか１項に記載の原稿読取装置。
【請求項５】
定形外の原稿の読取サイズを入力する画面を表示することと、
ユーザ入力に基づく読取サイズに相当する量の副走査方向における移動に応じて前記定形外の原稿を読み取り、前記定形外の原稿の第１の画像を得ることと、
前記第１の画像から主走査方向における前記ユーザ入力に基づく読取サイズに相当する量を超える領域をカットした第２の画像を得ることと、
第２の画像に基づいて、前記ユーザ入力に基づく読取サイズの適否を判断すること、
を備える原稿読取方法。
【発明の詳細な説明】
【技術分野】
【０００１】
本発明の実施形態は、原稿読取装置及び原稿読取方法に関する。
【背景技術】
【０００２】
従来、ＭＦＰ（Ｍｕｌｔｉ  Ｆｕｎｃｔｉｏｎ  Ｐｅｒｉｐｈｅｒａｌ）は、定形外の原稿をスキャンする技術として、画像処理で原稿サイズを確定する技術を用いている。これは、ＭＦＰが定形外の原稿を読み込む段階では、定形外の原稿をスキャンするサイズが確定していないからである。ＭＦＰは、定形外の原稿をスキャン処理する際、スキャン可能な最大サイズ（例えば、Ａ３幅２３７ｍｍ／ＬＤ長４３２ｍｍ）で定形外の原稿を読み取るようにしている。
【先行技術文献】
【特許文献】
【０００３】
【特許文献１】特開２０１２−１４２７０３号公報
【発明の概要】
【発明が解決しようとする課題】
【０００４】
しかしながら、ＭＦＰは、名刺のような比較的小さなサイズの原稿であっても、スキャン可能な最大サイズ（Ａ３幅／ＬＤ長）で原稿を読み取る。そのため、ＭＦＰは、定形外の原稿の読取動作及び画像処理などのスキャン処理に多くの時間を要する。
【０００５】
本発明の実施形態が解決しようとする課題は、定形外の原稿のスキャン処理に要する時間の低減を可能にする原稿読取装置及び原稿読取方法を提供することである。
【課題を解決するための手段】
【０００６】
実施形態に係る原稿読取装置は、表示部と、読取部と、処理部と、判断部とを備える。前記表示部は、定形外の原稿の読取サイズを入力する画面を表示する。前記読取部は、ユーザ入力に基づく読取サイズに相当する量の副走査方向に沿った移動に応じて前記定形外の原稿を読み取り、前記定形外の原稿の第１の画像を得る。前記処理部は、主走査方向において前記第１の画像から前記ユーザ入力に基づく読取サイズに相当する量を超える領域をカットした第２の画像を得る。前記判断部は、第２の画像に基づいて、前記ユーザ入力に基づく読取サイズの適否を判断する。
【図面の簡単な説明】
【０００７】
【図１】第１の実施形態に係るＭＦＰの構成を例示するブロック図である。
【図２】第１の実施形態に係る読取サイズ入力画面を例示する図である。
【図３】第１の実施形態に係るＭＦＰのプロセッサに実装される構成を例示するブロック図である。
【図４】第１の実施形態に係る黒背景の検知処理を用いた読取サイズの適否の判断処理を例示する図である。
【図５】第１の実施形態に係る黒背景の検知処理を用いた第３の画像の生成処理を例示する図である。
【図６】第１の実施形態に係る印字領域の検知処理を用いた読取サイズの適否の判断処理を例示する図である。
【図７】第１の実施形態に係る印字領域の検知処理を用いた第３の画像の生成処理を例示する図である。
【図８】第１の実施形態に係るＭＦＰのスキャン処理を例示するフローチャートである。
【図９】第２の実施形態に係るＡＤＦ装置の構成を例示する外観図である。
【図１０】第２の実施形態に係るＭＦＰのプロセッサに実装される構成を例示するブロック図である。
【図１１】第２の実施形態に係るＭＦＰのスキャン処理を例示するフローチャートである。
【発明を実施するための形態】
【０００８】
[第１の実施形態]  
以下、第１の実施形態について図面を参照して説明する。  
図１は、ＭＦＰ１の構成を例示するブロック図である。例えば、ＭＦＰ１は、原稿読取装置の一例である。ＭＦＰ１は、スキャン機能を有する装置である。
【０００９】
ＭＦＰ１は、プロセッサ１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、記憶装置１４、入力部１５、表示部１６、読取部１７、画像処理用ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）及び画像形成部１９を備える。
【００１０】
プロセッサ１１は、ＭＦＰ１の各要素を制御する。例えば、プロセッサ１１は、ＣＰＵ（Ｃｅｎｔｒａｌ  Ｐｒｏｃｅｓｓｉｎｇ  Ｕｎｉｔ）である。プロセッサ１１は、ＲＯＭ１２または記憶装置１４が記憶するプログラムを実行することにより各種の処理を実行する。プロセッサ１１は、ユーザ操作による入力指示に基づいて処理を実行する。
【００１１】
ＲＯＭ１２は、プロセッサ１１が実行するプログラムあるいは制御データなどを記憶する。  
ＲＡＭ１３は、ワーキングメモリである。
【００１２】
記憶装置１４は、プロセッサ１１が実行するプログラム、制御データ及び各種データを記憶するデバイスである。記憶装置１４は、書換え可能な不揮発性のメモリである。例えば、記憶装置１４は、ＳＳＤ（Ｓｏｌｉｄ  Ｓｔａｔｅ  Ｄｒｉｖｅ）またはＨＤＤ（Ｈａｒｄ  Ｄｉｓｋ  Ｄｒｉｖｅ）などで構成されている。
【００１３】
入力部１５は、ユーザによる入力を受け付ける入力デバイスである。例えば、入力部１５は、ユーザによる定形外の原稿の読取サイズの入力を受け付ける。例えば、入力部１５は、押下式のボタン及び後述する表示部１６に積層されたタッチパッドを含む。
【００１４】
表示部１６は、各種画面を表示するデバイスである。例えば、表示部１６は、定形外の原稿の読取サイズを入力する画面を表示する。定形外の原稿の読取サイズを入力する画面は、読取サイズ入力画面ともいう。読取サイズ入力画面の例については後述する。例えば、表示部１６は、液晶ディスプレイである。
【００１５】
読取部１７は、副走査方向に沿った移動に応じて原稿を読み取り、原稿の画像を得るデバイスである。例えば、読取部１７は、ユーザ入力に基づく読取サイズに相当する量の副走査方向に沿った移動に応じて定形外の原稿を読み取り、原稿の第１の画像を得る。読取部１７は、第１の画像を記憶装置１４に一時的に保存する。典型例では、読取部１７がユーザ入力に基づく読取サイズで定形外の原稿を読み取るように、ユーザ入力に基づく読取サイズは、読取部１７のファームウェアに設定される。読取部１７は、副走査方向においてスキャン可能な最大サイズで定形外の原稿を読み取らないので、定形外の原稿の読取時間を短縮することができる。読取部１７は、次の定形外の原稿の読み取りまでの時間も短縮することができる。これにより、読取部１７は、高速にスキャン処理を実行することができる。
【００１６】
例えば、読取部１７は、スキャナである。読取部１７は、イメージセンサなどを備える。イメージセンサは、光を電気信号（画像信号）に変換する画素がライン状に配列された撮像素子である。例えば、イメージセンサは、ＣＣＤ（Ｃｈａｒｇｅ  Ｃｏｕｐｌｅｄ  Ｄｅｖｉｃｅ）、ＣＭＯＳ（Ｃｏｍｐｌｉｍｅｎｔａｒｙ  Ｍｅｔａｌ  Ｏｘｉｄｅ  Ｓｅｍｉｃｏｎｄｕｃｔｏｒ）または他の撮像素子により構成される。読取部１７は、図示しないプラテン（原稿台）にセットされた原稿を読み取る。読取部１７は、図示しないＡＤＦ（Ａｕｔｏ  Ｄｏｃｕｍｅｎｔ  Ｆｅｅｄｅｒ）装置などによりプラテン上における読取部１７と対向する位置へ一枚ずつ連続的に搬送された原稿を読み取る。
【００１７】
画像処理用ＡＳＩＣ１８は、第１の画像に対して画像処理を施し、第１の画像から不要な領域をカットするように構成された回路である。例えば、画像処理用ＡＳＩＣ１８は、主走査方向において第１の画像からユーザ入力に基づく読取サイズに相当する量を超える領域をカットした第２の画像を得る。画像処理用ＡＳＩＣ１８は、第２の画像を記憶装置１４に一時的に保存する。画像処理用ＡＳＩＣ１８は、処理部ともいう。読取部１７は副走査方向においてスキャン可能な最大サイズで定形外の原稿を読み取らないので、画像処理用ＡＳＩＣ１８は、主走査方向における画像処理に要する時間を短縮することができる。これにより、画像処理用ＡＳＩＣ１８は、高速にスキャン処理を実行することができる。
【００１８】
画像形成部１９は、印刷媒体に画像を形成するデバイスである。例えば、画像形成部１９は、プリンタである。例えば、画像形成部１９は、感光ドラム、帯電チャージャ、露光器及び現像器などを備える。感光ドラムは、帯電チャージャによって表面が一様に帯電される。露光器は、画像データの電気信号に応じて、帯電した感光ドラムに潜像を形成可能な波長の光を出射し、帯電した感光ドラムに静電潜像を形成する。現像器は、感光ドラムに形成された静電潜像にトナー（現像剤）を付着させ、感光ドラムの表面にトナーの像（トナー像）を形成する。画像形成部１９は、感光ドラムの表面に形成されたトナー像を印刷媒体に転写し、印刷媒体にトナー像を定着させることにより、印刷媒体に画像を形成する。
【００１９】
読取サイズ入力画面について説明する。  
図２は、表示部１６に表示される読取サイズ入力画面を例示する図である。  
ユーザは、入力部１５を用いて、定形外の原稿のスキャン（Ｃｕｓｔｏｍ  Ｓｉｚｅ  Ｓｃａｎ）の設定時に、読取サイズ入力画面で縦と横のサイズを入力する。縦は、主走査方向のサイズに対応する。横は、副走査方向のサイズに対応する。ユーザは、読取サイズ入力画面で、定形外の原稿に近いサイズを入力する。例えば、ユーザは、実際には５１ｘ８９ｍｍの名刺サイズの原稿のスキャンを設定する場合、読取サイズ入力画面で６０ｘ１００ｍｍといった少し大きめなサイズを入力する。なお、ユーザが読取サイズ入力画面で読取サイズを入力しない場合、読取部１７は、デフォルト設定により、副走査方向においてスキャン可能な最大サイズで原稿を読み取る。
【００２０】
図３は、ＭＦＰ１のプロセッサ１１に実装される構成を例示するブロック図である。  
プロセッサ１１は、ＲＯＭ１２または記憶装置１４が記憶するプログラムを実行することにより、以下の各部を実装する。プロセッサ１１は、判断部１１１、生成部１１２及び出力部１１３を備える。
【００２１】
判断部１１１について説明する。判断部１１１は、以下に例示するように、第２の画像に基づいて、ユーザ入力に基づく読取サイズの適否を判断する。まず、判断部１１１は、入力部１５からユーザ入力に基づく読取サイズを示す情報を取得する。読取サイズは、ユーザによって入力された縦のサイズ及び横のサイズを含む。判断部１１１は、記憶装置１４から第２の画像を取得する。次に、判断部１１１は、第２の画像に対する画像処理により、ユーザ入力に基づく読取サイズの適否を判断する。
【００２２】
一例では、判断部１１１は、第２の画像に対する黒背景の検知処理により、ユーザ入力に基づく読取サイズの適否を判断する。黒背景の検知処理は、原稿サイズの自動検知処理ともいう。黒背景の検知処理は、第１の検知処理ともいう。黒背景の検知処理については後述する。別の例では、判断部１１１は、第２の画像に対する印字領域の検知処理により、ユーザ入力に基づく読取サイズの適否を判断する。印字領域の検知処理は、印字領域自動切り出し処理ともいう。印字領域の検知処理は、第２の検知処理ともいう。印字領域の検知処理については後述する。
【００２３】
判断部１１１は、第２の画像に対する黒背景の検知処理または印字領域の検知処理により、ユーザ入力に基づく読取サイズで規定される領域が第２の画像における定形外の原稿の印字領域の全体を含むか否かを判断する。
【００２４】
ユーザ入力に基づく読取サイズで規定される領域が第２の画像における定形外の原稿の印字領域の全体を含む場合、判断部１１１は、ユーザ入力に基づく読取サイズが定形外の原稿のサイズ以上であると判断する。これにより、判断部１１１は、ユーザ入力に基づく読取サイズは適切であると判断する。一つの理由は、ユーザ入力に基づく読取サイズに相当する第２の画像には定形外の原稿の印字領域の欠落が生じないからである。他方、ユーザ入力に基づく読取サイズで規定される領域が第２の画像における定形外の原稿の印字領域の一部を含まない場合、判断部１１１は、ユーザ入力に基づく読取サイズが定形外の原稿のサイズ未満であると判断する。これにより、判断部１１１は、ユーザ入力に基づく読取サイズは適切ではないと判断する。一つの理由は、ユーザ入力に基づく読取サイズに相当する第２の画像には定形外の原稿の印字領域の欠落が生じるからである。
【００２５】
次に、判断部１１１は、判断結果を生成部１１２及び出力部１１３へ送る。判断結果は、ユーザ入力に基づく読取サイズが適切であることを示す。または、判断結果は、ユーザ入力に基づく読取サイズが適切ではないことを示す。
【００２６】
生成部１１２について説明する。生成部１１２は、以下に例示するように、ユーザ入力に基づく読取サイズが適切であることを示す判断結果に基づいて、第２の画像から目的となる画像を生成する。目的となる画像は、第３の画像ともいう。まず、生成部１１２は、判断部１１１から判断結果を受ける。次に、判断結果がユーザ入力に基づく読取サイズが適切であることを示す場合、生成部１１２は、画像処理により、第２の画像から第３の画像を生成する。判断部１１１が第２の画像に対する黒背景の検知処理によりユーザ入力に基づく読取サイズの適否を判断した場合、生成部１１２は、黒背景の検知処理を用いる。判断部１１１が第２の画像に対する印字領域の検知処理によりユーザ入力に基づく読取サイズの適否を判断した場合、生成部１１２は、印字領域の検知処理を用いる。第３の画像のサイズは、ユーザ入力に基づく読取サイズ以下である。第３の画像には、定形外の原稿の印字領域の欠落は生じていない。次に、生成部１１２は、第３の画像を記憶装置１４に保存する。
【００２７】
出力部１１３について説明する。出力部１１３は、以下に例示するように、ユーザ入力に基づく読取サイズが適切ではないことを示す判断結果に基づいて、メッセージを出力する。メッセージは、ユーザ入力に基づく読取サイズが適切ではないことを含む。ユーザ入力に基づく読取サイズが適切ではないことは、ユーザ入力に基づく読取サイズが定形外の原稿のサイズ未満であることに相当する。まず、出力部１１３は、判断部１１１から判断結果を受ける。次に、判断結果がユーザ入力に基づく読取サイズが適切ではないことを示す場合、出力部１１３は、メッセージを出力する。これにより、表示部１６は、メッセージを表示する。ユーザは、表示部１６でメッセージを確認することで、読取サイズが適切ではないことを認識することができる。
【００２８】
次に、黒背景の検知処理について説明する。  
黒背景の検知処理は、黒背景の第２の画像から黒色領域のエッジを検出し、第２の画像から黒色領域のエッジに沿って第３の画像を切り出す処理である。そのため、第２の画像から切り出される第３の画像のサイズは、定形外の原稿に近いサイズとなる。
【００２９】
なお、黒背景の検知処理では、上述のように、第２の画像は、黒背景である必要がある。黒背景は以下のように生成される。読取部１７がＡＤＦ装置などにより搬送される定形外の原稿を読み取る例では、ＡＤＦ装置における読取部１７と対向する位置に黒色のシートが張り付けられている。読取部１７は、黒色のシートを背景として定形外の原稿を読み取る。これにより、第２の画像の背景は黒色になる。読取部１７がプラテンにセットされた定形外の原稿を読み取る例では、ユーザは、図示しないプラテンカバーを開けた状態で読取部１７に定形外の原稿を読み取らせる。または、ユーザは、プラテンにセットされた定形外の原稿とプラテンカバーの間に、定形外の原稿の全面を覆う黒色のシートを挟んだ状態で読取部１７に定形外の原稿を読み取らせる。これにより、第２の画像の背景は黒色になる。
【００３０】
判断部１１１における黒背景の検知処理を用いたユーザ入力に基づく読取サイズの適否の判断処理について説明する。  
図４は、黒背景の検知処理を用いたユーザ入力に基づく読取サイズの適否の判断処理を例示する図である。  
図４は、ユーザ入力に基づく読取サイズに相当する黒背景の第２の画像を示す。
【００３１】
判断部１１１は、ユーザ入力に基づく読取サイズで規定される４辺と第２の画像の黒色領域との関係を判断する。判断部１１１は、ユーザ入力に基づく読取サイズで規定される４辺が第２の画像の黒色領域に含まれているか否かに応じて、ユーザ入力に基づく読取サイズの適否を判断する。ユーザ入力に基づく読取サイズで規定される４辺の全てが第２の画像の黒色領域に含まれている場合、判断部１１１は、ユーザ入力に基づく読取サイズが適切であると判断する。つまり、ユーザ入力に基づく読取サイズで規定される領域は、第２の画像の印字領域の全体を含む。他方、ユーザ入力に基づく読取サイズで規定される少なくとも１辺が第２の画像の黒色領域に含まれていない場合、判断部１１１は、ユーザ入力に基づく読取サイズが適切ではないと判断する。つまり、ユーザ入力に基づく読取サイズで規定される領域は、第２の画像の印字領域の一部を含まない。
【００３２】
なお、判断部１１１は、第２の画像の４辺が黒色領域に含まれているか否かに応じて、ユーザ入力に基づく読取サイズの適否を判断してもよい。第２の画像の４辺の全てが黒色領域に含まれている場合、判断部１１１は、ユーザ入力に基づく読取サイズが適切であると判断する。つまり、ユーザ入力に基づく読取サイズで規定される領域は、第２の画像の印字領域の全体を含む。他方、第２の画像の４辺のうちの少なくとも１辺が黒色領域に含まれていない場合、判断部１１１は、ユーザ入力に基づく読取サイズが適切ではないと判断する。つまり、ユーザ入力に基づく読取サイズで規定される領域は、第２の画像の印字領域の一部を含まない。
【００３３】
生成部１１２における黒背景の検知処理を用いた第３の画像の生成処理について説明する。  
図５は、黒背景の検知処理を用いた第３の画像の生成処理を例示する図である。  
図５の左側の図は、破線で示すユーザ入力に基づく読取サイズと定形外の原稿の関係を示している。ユーザ入力に基づく読取サイズは、定形外の原稿の全てを含むサイズであるものとする。図５の真ん中の図に示すように、ＭＦＰ１は、読取部１７及び画像処理用ＡＳＩＣ１８により、ユーザ入力に基づく読取サイズに相当する第２の画像を得る。第２の画像は、黒背景である。生成部１１２は、第２の画像から黒色領域のエッジを検出する。図５の右側の図に示すように、生成部１１２は、第２の画像から黒色領域のエッジに沿って第３の画像を切り出す。
【００３４】
次に、印字領域の検知処理について説明する。  
印字領域の検知処理は、白背景の第２の画像から印字領域のエッジを検出し、第２の画像から印字領域のエッジに沿って第３の画像を切り出す処理である。例えば、印字領域のエッジの検出は、第２の画像における文字などの検出に基づいている。定形外の原稿の白色領域は、印字領域の検知処理によって除かれる。そのため、第２の画像から切り出される第３の画像のサイズは、定形外の原稿よりも小さいサイズとなる。
【００３５】
判断部１１１における印字領域の検知処理を用いたユーザ入力に基づく読取サイズの適否の判断処理について説明する。  
図６は、印字領域の検知処理を用いた読取サイズの適否の判断処理を例示する図である。
【００３６】
判断部１１１は、ユーザ入力に基づく読取サイズで規定される４辺と第２の画像の印字領域との関係を判断する。判断部１１１は、ユーザ入力に基づく読取サイズで規定される４辺が第２の画像の印字領域に含まれているか否かに応じて、ユーザ入力に基づく読取サイズの適否を判断する。ユーザ入力に基づく読取サイズで規定される４辺の全てが第２の画像の印字領域に含まれていない場合、判断部１１１は、ユーザ入力に基づく読取サイズが適切であると判断する。つまり、ユーザ入力に基づく読取サイズで規定される領域は、第２の画像の印字領域の全体を含む。他方、ユーザ入力に基づく読取サイズで規定される少なくとも１辺が第２の画像の印字領域に含まれている場合、判断部１１１は、ユーザ入力に基づく読取サイズが適切ではないと判断する。つまり、ユーザ入力に基づく読取サイズで規定される領域は、第２の画像の印字領域の一部を含まない。
【００３７】
なお、判断部１１１は、第２の画像の４辺が印字領域に含まれているか否かに応じて、ユーザ入力に基づく読取サイズの適否を判断してもよい。第２の画像の４辺の全てが印字領域に含まれていない場合、判断部１１１は、ユーザ入力に基づく読取サイズが適切であると判断する。つまり、ユーザ入力に基づく読取サイズで規定される領域は、第２の画像の印字領域の全体を含む。他方、第２の画像の少なくとも１辺が印字領域に含まれている場合、判断部１１１は、ユーザ入力に基づく読取サイズが適切ではないと判断する。つまり、ユーザ入力に基づく読取サイズで規定される領域は、第２の画像の印字領域の一部を含まない。
【００３８】
生成部１１２における印字領域の検知処理を用いた第３の画像の生成処理について説明する。  
図７は、印字領域の検知処理を用いた第３の画像の生成処理を例示する図である。  
図７の左側の図は、破線で示すユーザ入力に基づく読取サイズと定形外の原稿の関係を示している。ユーザ入力に基づく読取サイズは、定形外の原稿の全てを含むサイズであるものとする。図７の真ん中の図に示すように、ＭＦＰ１は、読取部１７及び画像処理用ＡＳＩＣ１８により、ユーザ入力に基づく読取サイズに相当する第２の画像を得る。第２の画像は、白背景である。生成部１１２は、第２の画像から印字領域のエッジを検出する。図５の右側の図に示すように、生成部１１２は、第２の画像から印字領域のエッジに沿って第３の画像を切り出す。
【００３９】
ＭＦＰ１のスキャン処理について説明する。  
図８は、ＭＦＰ１のスキャン処理を例示するフローチャートである。
【００４０】
表示部１６は、読取サイズ入力画面を表示する（Ａｃｔ１０１）。プロセッサ１１は、ユーザ入力に基づく読取サイズを検出する（Ａｃｔ１０２）。Ａｃｔ１０２では、プロセッサ１１は、ユーザ入力に基づく読取サイズを読取部１７のファームウェアに設定する。プロセッサ１１は、ユーザによるスタートボタンの押下を検出する（Ａｃｔ１０３）。
【００４１】
読取部１７は、スタートボタンの押下に応じて、定形外の原稿を読み取る（Ａｃｔ１０４）。Ａｃｔ１０４では、読取部１７は、ユーザ入力に基づく読取サイズに相当する量の副走査方向に沿った移動に応じて定形外の原稿を読み取る。読取部１７は、定形外の原稿の読み取りにより、定形外の原稿の第１の画像を得る（Ａｃｔ１０５）。
【００４２】
画像処理用ＡＳＩＣ１８は、第１の画像に対して、第１の画像から不要な領域をカットする画像処理を実行する（Ａｃｔ１０６）。Ａｃｔ１０６では、画像処理用ＡＳＩＣ１８は、主走査方向において第１の画像からユーザ入力に基づく読取サイズに相当する量を超える領域をカットする。画像処理用ＡＳＩＣ１８は、第１の画像からの不要な領域のカットにより、第２の画像を得る（Ａｃｔ１０７）。画像処理用ＡＳＩＣ１８は、第２の画像を記憶装置１４に一時的に保存する（Ａｃｔ１０８）。
【００４３】
プロセッサ１１は、第２の画像に対する画像処理として、黒背景の検知処理が設定されているか否かを判断する（Ａｃｔ１０９）。黒背景の検知処理が設定されている場合（Ａｃｔ１０９、Ｙｅｓ）、プロセッサ１１は、第２の画像に対する画像処理として黒背景の検知処理の実行を決定する（Ａｃｔ１１０）。
【００４４】
判断部１１１は、第２の画像に対する黒背景の検知処理により、ユーザ入力に基づく読取サイズの適否を判断する（Ａｃｔ１１１）。
【００４５】
ユーザ入力に基づく読取サイズが適切である場合（Ａｃｔ１１２、Ｙｅｓ）、生成部１１２は、第２の画像に対して黒背景の検知処理を実行する（Ａｃｔ１１３）。生成部１１２は、第２の画像に対する黒背景の検知処理により、第３の画像を得る（Ａｃｔ１１４）。生成部１１２は、第３の画像を記憶装置１４に保存する（Ａｃｔ１１５）。
【００４６】
ユーザ入力に基づく読取サイズが適切ではない場合（Ａｃｔ１１２、Ｎｏ）、出力部１１３はメッセージを出力する（Ａｃｔ１１６）。これにより、ＭＦＰ１は、第２の画像に対する黒背景の検知処理の実行を無効にし、第３の画像を生成することなく処理を終了する。
【００４７】
黒背景の検知処理が設定されていない場合（Ａｃｔ１０９、Ｎｏ）、プロセッサ１１は、第２の画像に対する画像処理として印字領域の検知処理の実行を決定する（Ａｃｔ１１７）。判断部１１１は、第２の画像に対する印字領域の検知処理により、ユーザ入力に基づく読取サイズの適否を判断する（Ａｃｔ１１８）。
【００４８】
ユーザ入力に基づく読取サイズが適切である場合（Ａｃｔ１１９、Ｙｅｓ）、生成部１１２は、第２の画像に対して印字領域の検知処理を実行する（Ａｃｔ１２０）。生成部１１２は、第２の画像に対する黒背景の検知処理により、第３の画像を得る（Ａｃｔ１１４）。生成部１１２は、第３の画像を記憶装置１４に保存する（Ａｃｔ１１５）。
【００４９】
ユーザ入力に基づく読取サイズが適切ではない場合（Ａｃｔ１１９、Ｎｏ）、出力部１１３はメッセージを出力する（Ａｃｔ１１６）。これにより、ＭＦＰ１は、第２の画像に対する印字領域の検知処理の実行を無効にし、第３の画像を生成することなく処理を終了する。
【００５０】
なお、Ａｃｔ１１６において出力部１１３が出力するメッセージは、第３の画像の生成処理を継続するか否かの確認を含んでいてもよい。表示部１６は、ユーザに第３の画像の生成処理を継続するか否かを確認する画面を表示する。ユーザは、入力部１５を用いて、第３の画像の生成処理の継続指示を入力することができる。これにより、生成部１１２は、第２の画像に対する黒背景の検知処理または印字領域の検知処理を実行し、第３の画像を生成する。
【００５１】
第１の実施形態によれば、ＭＦＰ１は、ユーザ入力に基づく読取サイズに相当する第２の画像に基づいて、ユーザ入力に基づく読取サイズの適否を判断する。  
これにより、ＭＦＰ１は、定形外の原稿のスキャン処理に要する時間を低減しつつ、適切な定形外の原稿の画像を得ることができる。
【００５２】
さらに、ＭＦＰ１は、ユーザ入力に基づく読取サイズで規定される４辺が第２の画像の黒色領域に含まれているか否かに応じて、ユーザ入力に基づく読取サイズの適否を判断する。  
これにより、ＭＦＰ１は、ユーザ入力に基づく読取サイズの適否の判断精度を向上させることができる。ＭＦＰ１は、第３の画像の生成処理で用いることができる黒背景の検知処理を読取サイズの適否の判断処理でも共通に用いることで、処理を簡略化することができる。
【００５３】
さらに、ＭＦＰ１は、ユーザ入力に基づく読取サイズで規定される４辺が第２の画像の印字領域に含まれているか否かに応じて、ユーザ入力に基づく読取サイズの適否を判断する。  
これにより、ＭＦＰ１は、ユーザ入力に基づく読取サイズの適否の判断精度を向上させることができる。ＭＦＰ１は、第３の画像の生成処理で用いることができる印字領域の検知処理を読取サイズの適否の判断処理でも共通に用いることで、処理を簡略化することができる。
【００５４】
さらに、ＭＦＰ１は、ユーザ入力に基づく読取サイズが適切ではないことを示す判断結果に基づいてメッセージを出力する。  
これにより、ユーザは、読取サイズが適切ではないことを認識し、読取サイズを容易に再設定することができる。
【００５５】
[第２の実施形態]  
第２の実施形態は、読取部１７で定形外の原稿を読み取る前に、定形外の原稿のサイズがユーザ入力に基づく読取サイズに応じた基準を満たすか否かを判断するようにしたものである。なお、第２の実施形態において第１の実施形態と同一であってもよい部分については、その説明を省略する。
【００５６】
図９は、ＭＦＰ１に取り付け可能なＡＤＦ装置２の構成を例示する外観図である。
【００５７】
ＡＤＦ装置２は、プラテン上における読取部１７と対向する位置へ一枚ずつ連続的に原稿を搬送する装置である。ＡＤＦ装置２は、原稿送り装置の例である。ＡＤＦ装置２は、検知部２１を備える。検知部２１は、ＡＤＦ装置２にセットされている原稿のサイズを検知するように構成されている。検知部２１は、複数のセンサ２１−１〜２１−５を備える。センサ２１−１及びセンサ２１−２は、原稿長を検知するためのセンサである。センサ２１−１及びセンサ２１−２は、原稿の搬送方向に沿って並んで配置されている。原稿長は、原稿の横のサイズ及び副走査方向のサイズに対応する。センサ２１−３〜２１−５は、原稿幅を検知するためのセンサである。原稿幅は、原稿の縦のサイズ及び主走査方向のサイズに対応する。なお、検知部２１が備えるセンサの数は５つに限られるものではない。なお、ＭＦＰ１は、ＡＤＦ装置２に代えて、ＤＳＤＦ（Ｄｕａｌ  Ｓｃａｎ  Ｄｏｃｕｍｅｎｔ  Ｆｅｅｄｅｒ）装置を取り付け可能であってもよい。ＤＳＤＦ装置は、原稿送り装置の例である。
【００５８】
図１０は、ＭＦＰ１のプロセッサ１１に実装される構成を例示するブロック図である。  
プロセッサ１１は、ＲＯＭ１２または記憶装置１４が記憶するプログラムを実行することにより、以下の各部を実装する。プロセッサ１１は、第１の判断部１１４、第２の判断部１１５、生成部１１６及び出力部１１７を備える。
【００５９】
第１の判断部１１４について説明する。第１の判断部１１４は、以下に例示するように、検知部２１で検知された定形外の原稿のサイズがユーザ入力に基づく読取サイズに応じた基準を満たすか否かを判断する。一例では、基準は、検知部２１で検知された定形外の原稿のサイズがユーザ入力に基づく読取サイズ以下か否かを判断する基準である。この例では、検知部２１で検知された定形外の原稿のサイズがユーザ入力に基づく読取サイズ以下である場合、第１の判断部１１４は、基準を満たすと判断する。他方、検知部２１で検知された定形外の原稿のサイズがユーザ入力に基づく読取サイズ以下ではない場合、第１の判断部１１４は、基準を満たさないと判断する。別の例では、基準は、検知部２１で検知された定形外の原稿のサイズがユーザ入力に基づく読取サイズ未満か否かを判断する基準である。この例では、検知部２１で検知された定形外の原稿のサイズがユーザ入力に基づく読取サイズ未満である場合、第１の判断部１１４は、基準を満たすと判断する。他方、検知部２１で検知された定形外の原稿のサイズがユーザ入力に基づく読取サイズ未満ではない場合、第１の判断部１１４は、基準を満たさないと判断する。
【００６０】
まず、第１の判断部１１４は、入力部１５からユーザ入力に基づく読取サイズを示す情報を取得する。読取サイズは、ユーザによって入力された縦のサイズ及び横のサイズを含む。第１の判断部１１４は、検知部２１からＡＤＦ装置２にセットされている定形外の原稿のサイズを示す情報を取得する。定形外の原稿のサイズは、原稿幅及び原稿長を含む。
【００６１】
次に、第１の判断部１１４は、ユーザによるスタートボタンの押下に基づいて、検知部２１からの情報に含まれる原稿幅が入力部１５からの情報に含まれる縦のサイズに応じた基準を満たすか否かを判断する。一例では、第１の判断部１１４は、検知部２１からの情報に含まれる原稿幅が入力部１５からの情報に含まれる縦のサイズ以下か否かを判断する。別の例では、第１の判断部１１４は、検知部２１からの情報に含まれる原稿幅が入力部１５からの情報に含まれる縦のサイズ未満か否かを判断する。これと共に、第１の判断部１１４は、ユーザによるスタートボタンの押下に基づいて、検知部２１からの情報に含まれる原稿長が入力部１５からの情報に含まれる横のサイズに応じた基準を満たすか否かを判断する。一例では、第１の判断部１１４は、検知部２１からの情報に含まれる原稿幅が入力部１５からの情報に含まれる横のサイズ以下か否かを判断する。別の例では、第１の判断部１１４は、検知部２１からの情報に含まれる原稿幅が入力部１５からの情報に含まれる横のサイズ未満か否かを判断する。
【００６２】
検知部２１からの情報に含まれる原稿幅が入力部１５からの情報に含まれる縦のサイズに応じた基準を満たし、かつ、検知部２１からの情報に含まれる原稿長が入力部１５からの情報に含まれる横のサイズに応じた基準を満たすとする。この場合、第１の判断部１１４は、検知部２１で検知された定形外の原稿のサイズがユーザ入力に基づく読取サイズに応じた基準を満たすと判断する。他方、検知部２１からの情報に含まれる原稿幅が入力部１５からの情報に含まれる縦のサイズに応じた基準を満たさない、かつ、検知部２１からの情報に含まれる原稿長が入力部１５からの情報に含まれる横のサイズに応じた基準を満たさないとする。この場合、第１の判断部１１４は、検知部２１で検知された定形外の原稿のサイズがユーザ入力に基づく読取サイズに応じた基準を満たさないと判断する。検知部２１からの情報に含まれる原稿幅が入力部１５からの情報に含まれる縦のサイズに応じた基準を満たさない、または、検知部２１からの情報に含まれる原稿長が入力部１５からの情報に含まれる横のサイズに応じた基準を満たさないとする。この場合、第１の判断部１１４は、検知部２１で検知された定形外の原稿のサイズがユーザ入力に基づく読取サイズに応じた基準を満たさないと判断する。
【００６３】
次に、第１の判断部１１４は、第１の判断結果を第２の判断部１１５及び出力部１１７へ送る。第１の判断結果は、検知部２１で検知された定形外の原稿のサイズがユーザ入力に基づく読取サイズに応じた基準を満たすことを示す。または、第１の判断結果は、検知部２１で検知された定形外の原稿のサイズがユーザ入力に基づく読取サイズに応じた基準を満たさないことを示す。また、第１の判断部１１４は、検知部２１で検知された定形外の原稿のサイズがユーザ入力に基づく読取サイズに応じた基準を満たすと判断した場合、ＡＤＦ装置２の動作を開始させる。これと共に、第１の判断部１１４は、読取部１７の動作を開始させる。
【００６４】
次に、第２の判断部１１５について説明する。第２の判断部１１５は、検知部２１で検知された定形外の原稿のサイズがユーザ入力に基づく読取サイズに応じた基準を満たすことを示す第１の判断結果に基づいて、記憶装置１４から第２の画像を取得する。第２の判断部１１５は、第１の実施形態で説明した判断部１１１と同様に、第２の画像に基づいて、ユーザ入力に基づく読取サイズの適否を判断する。
【００６５】
第２の判断部１１５は、第２の判断結果を生成部１１６及び出力部１１７へ送る。第２の判断結果は、ユーザ入力に基づく読取サイズが適切であることを示す。または、第２の判断結果は、ユーザ入力に基づく読取サイズが適切ではないことを示す。
【００６６】
生成部１１６について説明する。生成部１１６は、第１の実施形態で説明した生成部１１２と同様に、ユーザ入力に基づく読取サイズが適切であることを示す第２の判断結果に基づいて、第２の画像から第３の画像を生成する。
【００６７】
出力部１１７について説明する。出力部１１７は、種々のメッセージを出力する。  
一例では、出力部１１７は、検知部２１で検知された定形外の原稿のサイズがユーザ入力に基づく読取サイズに応じた基準を満たさないことを示す第１の判断結果に基づいて、メッセージを出力する。メッセージは、ユーザ入力に基づく読取サイズが適切ではないことを含む。この例では、まず、出力部１１７は、第１の判断部１１４から第１の判断結果を受ける。次に、第１の判断結果が検知部２１で検知された定形外の原稿のサイズがユーザ入力に基づく読取サイズに応じた基準を満たさないことを示す場合、出力部１１７は、メッセージを出力する。これにより、表示部１６は、メッセージを表示する。ユーザは、表示部１６でメッセージを確認することで、読取サイズが適切ではないことを認識することができる。
【００６８】
別の例では、出力部１１７は、ユーザ入力に基づく読取サイズが適切ではないことを示す第２の判断結果に基づいて、メッセージを出力する。メッセージは、ユーザ入力に基づく読取サイズが適切ではないことを含む。この例では、まず、出力部１１７は、第２の判断部１１５から第２の判断結果を受ける。次に、第２の判断結果がユーザ入力に基づく読取サイズが適切ではないことを示す場合、出力部１１７は、メッセージを出力する。これにより、表示部１６は、メッセージを表示する。ユーザは、表示部１６でメッセージを確認することで、読取サイズが適切ではないことを認識することができる。
【００６９】
ＭＦＰ１のスキャン処理について説明する。  
図１１は、ＭＦＰ１のスキャン処理を例示するフローチャートである。  
ここでは、第１の判断部１１４は、検知部２１で検知された定形外の原稿のサイズがユーザ入力に基づく読取サイズ以下か否かを判断する基準を用いるものとする。
【００７０】
表示部１６は、読取サイズ入力画面を表示する（Ａｃｔ２０１）。プロセッサ１１は、ユーザ入力に基づく読取サイズを検出する（Ａｃｔ２０２）。プロセッサ１１は、ユーザによるスタートボタンの押下を検出する（Ａｃｔ２０３）。
【００７１】
第１の判断部１１４は、検知部２１からの情報に含まれる原稿幅が入力部１５からの情報に含まれる縦のサイズ以下か否かを判断する（Ａｃｔ２０４）。原稿幅が縦のサイズ以下である場合（Ａｃｔ２０４、Ｙｅｓ）、第１の判断部１１４は、検知部２１からの情報に含まれる原稿長が入力部１５からの情報に含まれる横のサイズ以下か否かを判断する（Ａｃｔ２０５）。原稿長が横のサイズ以下である場合（Ａｃｔ２０５、Ｙｅｓ）、読取部１７は、定形外の原稿を読み取る（Ａｃｔ２０６）。Ａｃｔ２０６では、読取部１７は、検知部２１で検知された定形外の原稿のサイズがユーザ入力に基づく読取サイズに応じた基準を満たすことを示す第１の判断結果に基づいて、ユーザ入力に基づく読取サイズに相当する量の副走査方向に沿った移動に応じて定形外の原稿を読み取る。読取部１７は、定形外の原稿の読み取りにより、定形外の原稿の第１の画像を得る（Ａｃｔ２０７）。
【００７２】
画像処理用ＡＳＩＣ１８は、第１の画像に対して、第１の画像から不要な領域をカットする画像処理を実行する（Ａｃｔ２０８）。Ａｃｔ２０８では、画像処理用ＡＳＩＣ１８は、主走査方向において第１の画像からユーザ入力に基づく読取サイズに相当する量を超える領域をカットする。画像処理用ＡＳＩＣ１８は、第１の画像からの不要な領域のカットにより、第２の画像を得る（Ａｃｔ２０９）。画像処理用ＡＳＩＣ１８は、第２の画像を記憶装置１４に一時的に保存する（Ａｃｔ２１０）。
【００７３】
プロセッサ１１は、第２の画像に対する画像処理として、黒背景の検知処理が設定されているか否かを判断する（Ａｃｔ２１１）。黒背景の検知処理が設定されている場合（Ａｃｔ２１１、Ｙｅｓ）、プロセッサ１１は、第２の画像に対する画像処理として黒背景の検知処理の実行を決定する（Ａｃｔ２１２）。
【００７４】
第２の判断部１１５は、第２の画像に対する黒背景の検知処理により、ユーザ入力に基づく読取サイズの適否を判断する（Ａｃｔ２１３）。
【００７５】
ユーザ入力に基づく読取サイズが適切である場合（Ａｃｔ２１３、Ｙｅｓ）、生成部１１６は、第２の画像に対して黒背景の検知処理を実行する（Ａｃｔ２１５）。生成部１１６は、第２の画像に対する黒背景の検知処理により、第３の画像を得る（Ａｃｔ２１６）。生成部１１６は、第３の画像を記憶装置１４に保存する（Ａｃｔ２１７）。
【００７６】
ユーザ入力に基づく読取サイズが適切ではない場合（Ａｃｔ２１４、Ｎｏ）、出力部１１７はメッセージを出力する（Ａｃｔ２１８）。これにより、ＭＦＰ１は、第２の画像に対する黒背景の検知処理の実行を無効にし、第３の画像を生成することなく処理を終了する。
【００７７】
黒背景の検知処理が設定されていない場合（Ａｃｔ２１１、Ｎｏ）、プロセッサ１１は、第２の画像に対する画像処理として印字領域の検知処理の実行を決定する（Ａｃｔ２１９）。第２の判断部１１５は、第２の画像に対する印字領域の検知処理により、ユーザ入力に基づく読取サイズの適否を判断する（Ａｃｔ２２０）。
【００７８】
ユーザ入力に基づく読取サイズが適切である場合（Ａｃｔ２２１、Ｙｅｓ）、生成部１１６は、第２の画像に対して印字領域の検知処理を実行する（Ａｃｔ２２２）。生成部１１６は、第２の画像に対する黒背景の検知処理により、第３の画像を得る（Ａｃｔ２１６）。生成部１１２は、第３の画像を記憶装置１４に保存する（Ａｃｔ２１７）。
【００７９】
ユーザ入力に基づく読取サイズが適切ではない場合（Ａｃｔ２２１、Ｎｏ）、出力部１１３はメッセージを出力する（Ａｃｔ２１８）。これにより、ＭＦＰ１は、第２の画像に対する印字領域の検知処理の実行を無効にし、第３の画像を生成することなく処理を終了する。原稿幅が縦のサイズ以下ではない場合（Ａｃｔ２０４、Ｎｏ）、出力部１１７はメッセージを出力する（Ａｃｔ２２３）。原稿長が横のサイズ以下ではない場合（Ａｃｔ２０５、Ｎｏ）、出力部１１７はメッセージを出力する（Ａｃｔ２２３）。これにより、ＭＦＰ１は、定形外の原稿を読み取ることなく処理を終了する。
【００８０】
なお、Ａｃｔ２１８において出力部１１３が出力するメッセージは、第３の画像の生成処理を継続するか否かの確認を含んでいてもよい。表示部１６は、ユーザに第３の画像の生成処理を継続するか否かを確認する画面を表示する。ユーザは、入力部１５を用いて、第３の画像の生成処理の継続指示を入力することができる。これにより、生成部１１２は、第２の画像に対する黒背景の検知処理または印字領域の検知処理を実行し、第３の画像を生成する。
【００８１】
なお、Ａｃｔ２２３において出力部１１３が出力するメッセージは、定形外の原稿の読み取りを継続するか否かの確認を含んでいてもよい。表示部１６は、ユーザに定形外の原稿の読み取りを継続するか否かを確認する画面を表示する。ユーザは、入力部１５を用いて、定形外の原稿の読み取りの継続指示を入力することができる。これにより、読取部１７は、定形外の原稿の読み取りを実行する。
【００８２】
なお、ＭＦＰ１は、Ａｃｔ２１３及びＡｃｔ２１４の第２の判断部１１５による処理並びにＡｃｔ２２０及びＡｃｔ２２１の第２の判断部１１５による処理を省略してもよい。つまり、第２の判断部１１５は、第２の画像に対する黒背景の検知処理によりユーザ入力に基づく読取サイズの適否を判断する処理を省略する。同様に、第２の判断部１１５は、第２の画像に対する印字領域の検知処理によりユーザ入力に基づく読取サイズの適否を判断する処理を省略する。
【００８３】
第２の実施形態によれば、ＭＦＰ１は、表示部１６、検知部２１、第１の判断部１１４、読取部１７、画像処理用ＡＳＩＣ１８を備える。表示部１６は、定形外の原稿の読取サイズを入力する画面を表示する。検知部２１は、ＡＤＦ装置２にセットされている定形外の原稿のサイズを検知する。第１の判断部１１４は、検知部２１で検知された定形外の原稿のサイズがユーザ入力に基づく読取サイズに応じた基準を満たすか否かを判断する。読取部１７は、検知部２１で検知された定形外の原稿のサイズがユーザ入力に基づく読取サイズに応じた基準を満たすことを示す第１の判断結果に基づいて、ユーザ入力に基づく読取サイズに相当する量の副走査方向に沿った移動に応じて定形外の原稿を読み取り、定形外の原稿の第１の画像を得る。画像処理用ＡＳＩＣ１８は、主走査方向において第１の画像からユーザ入力に基づく読取サイズに相当する量を超える領域をカットした第２の画像を得る。  
これにより、ＭＦＰ１は、定形外の原稿を読み取ることなく、ユーザ入力に基づく読取サイズの適否を判断することができる。ＭＦＰ１は、不必要な定形外の原稿の読取動作を省略するので、定形外の原稿のスキャン処理に要する時間を低減しつつ、適切な定形外の原稿の画像を取得することができる。
【００８４】
さらに、第２の判断部１１５は、第２の画像に基づいて、ユーザ入力に基づく読取サイズの適否を判断する。  
検知部２１による定形外の原稿のサイズを検知する精度は、検知部２１が備えるセンサの数に依存する。センサの数が少ないと、第１の判断部１１４は、検知部２１で検知された定形外の原稿のサイズがユーザ入力に基づく読取サイズに応じた基準を満たすか否かを適切に判断できないことがある。ＭＦＰ１は、第１の判断部１１４による判断処理に加えて第２の判断部１１５による判断処理を行うことで、ユーザ入力に基づく読取サイズの適否を適切に判断することができる。このように、ＭＦＰ１は、第１の判断部１１４の判断処理により定形外の原稿のスキャン処理に要する時間の低減を実現し、第２の判断部１１５の判断処理により適切な定形外の原稿の画像の取得を実現する。
【００８５】
さらに、出力部１１７は、検知部２１で検知された定形外の原稿のサイズがユーザ入力に基づく読取サイズに応じた基準を満たさないことを示す第１の判断部１１４による第１の判断結果に基づいて、メッセージを出力する。  
これにより、ユーザは、読取サイズが適切ではないことを認識し、読取サイズを容易に再設定することができる。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
１…ＭＦＰ、２…ＡＤＦ装置、１１…プロセッサ、１２…ＲＯＭ、１３…ＲＡＭ、１４…記憶装置、１５…入力部、１６…表示部、１７…読取部、１８…画像処理用ＡＳＩＣ、１９…画像形成部、２１…検知部、２１−１〜２１−５…センサ、１１１…判断部、１１２…生成部、１１３…出力部、１１４…第１の判断部、１１５…第２の判断部、１１６…生成部、１１７…出力部。
【図１】
2020005222.tif 000003
【図２】
2020005222.tif 000004
【図３】
2020005222.tif 000005
【図４】
2020005222.tif 000006
【図５】
2020005222.tif 000007
【図６】
2020005222.tif 000008
【図７】
2020005222.tif 000009
【図８】
2020005222.tif 000010
【図９】
2020005222.tif 000011
【図１０】
2020005222.tif 000012
【図１１】
2020005222.tif 000013